(57)【要約】      （修正有）【課題】装置全体のコスト上昇を抑制しながら、色再現性や輝度の向上を図ることを可能とする照明装置及び投写型映像表示装置を提供する。【解決手段】照明装置は、液晶パネルと、液晶パネルと、液晶パネルと、偏光状態調整素子と、クロスダイクロイックプリズムとを備える。緑成分光、中央成分光と、短波長成分光と、長波長成分光とを含む。偏光状態調整素子は、中央成分光の偏光状態と短波長成分光及び長波長成分光の偏光状態とを個別に調整する。【選択図】図４
2010044115.tif 000002
【特許請求の範囲】
【請求項１】
白色光を出射する光源と、
第１波長帯を有する第１色成分光と、第２波長帯を有する第２色成分光と、第３波長帯を有する第３色成分光とに、前記光源から出射された白色光を分離する色分離部と、
第１入力信号に基づいて、前記第１色成分光を変調する第１光変調素子と、
第２入力信号に基づいて、前記第２色成分光を変調する第２光変調素子と、
第３入力信号に基づいて、前記第３色成分光を変調する第３光変調素子と、
前記第１光変調素子から出射された前記第１色成分光と、前記第２光変調素子から出射された前記第２色成分光と、前記第３光変調素子から出射された前記第３色成分光とを合成する色合成部とを備えた照明装置であって、
前記第２光変調素子の光入射側に設けられた偏光調整素子を備え、
前記第２波長帯は、中央波長帯と、前記中央波長帯よりも短波長側の短波長帯と、前記中央波長帯よりも長波長側の長波長帯とを有しており、
前記偏光調整素子は、前記中央波長帯の光の偏光状態と前記短波長帯及び前記長波長帯の光の偏光状態とを個別に調整することを特徴とする照明装置。
【請求項２】
前記長波長帯は、前記短波長帯よりも広い波長帯を有することを特徴とする請求項１に記載の照明装置。
【請求項３】
前記偏光調整素子は、前記中央波長帯の光の偏光状態を調整せずに、前記短波長帯及び前記長波長帯の光の偏光状態を調整するエッジフィルタの素子であることを特徴とする請求項１に記載の照明装置。
【請求項４】
前記偏光調整素子は、前記中央波長帯の光の偏光状態を調整せずに、前記短波長帯の光の偏光状態を調整する第１ノッチフィルタの素子と、前記中央波長帯の光の偏光状態を調整せずに、前記長波長帯の光の偏光状態を調整する第２ノッチフィルタの素子との組合せによって構成されることを特徴とする請求項１に記載の照明装置。
【請求項５】
前記第２波長帯は、少なくとも緑の波長帯を含むことを特徴とする請求項１に記載の照明装置。
【請求項６】
白色光を出射する光源と、
第１波長帯を有する第１色成分光と、第２波長帯を有する第２色成分光と、第３波長帯を有する第３色成分光とに、前記光源から出射された白色光を分離する色分離部と、
第１入力信号に基づいて、前記第１色成分光を変調する第１光変調素子と、
第２入力信号に基づいて、前記第２色成分光を変調する第２光変調素子と、
第３入力信号に基づいて、前記第３色成分光を変調する第３光変調素子と、
前記第１光変調素子から出射された前記第１色成分光と、前記第２光変調素子から出射された前記第２色成分光と、前記第３光変調素子から出射された前記第３色成分光とを合成する色合成部と、
前記色合成部から出射された光を投写する投写手段とを備えた投写型映像表示装置であって、
前記第２光変調素子の光入射側に設けられた偏光調整素子を備え、
前記第２波長帯は、中央波長帯と、前記中央波長帯よりも短波長側の短波長帯と、前記中央波長帯よりも長波長側の長波長帯とを有しており、
前記偏光調整素子は、前記中央波長帯の光の偏光状態と前記短波長帯及び前記長波長帯の光の偏光状態とを個別に調整することを特徴とする投写型映像表示装置。
【発明の詳細な説明】
【技術分野】
【０００１】
本発明は、赤成分光、緑成分光及び青成分光を利用する照明装置及び投写型映像表示装置に関する。
【背景技術】
【０００２】
従来、３色の光に対応する３つの光変調素子と、３つの光変調素子から出射される光を合成するクロスダイクロイックキューブと、クロスダイクロイックキューブで合成された光を投写する投写手段とを有する投写型映像表示装置が知られている。
【０００３】
ここで、クロスダイクロイックキューブは、光が入射する３つの光入射面と、光が出射する１つの光出射面とを有している。従って、クロスダイクロイックキューブに入射する光が３色である場合には、投写型映像表示装置は、一つのクロスダイクロイックキューブを有していれば足りる。
【０００４】
一方で、色再現性や輝度の向上を目的として、４色以上の光を利用する投写型映像表示装置が提案されている。例えば、投写型映像表示装置は、赤、緑及び青の３色に加えて、橙、黄又はシアンを利用することによって、色再現性や輝度の向上を図っている（例えば、特許文献１）。
【特許文献１】特開２００２−２８７２４７号公報（請求項１、請求項４、図１など）
【発明の開示】
【発明が解決しようとする課題】
【０００５】
ここで、投写型映像表示装置が４色以上の光を有する場合には、一つのクロスダイクロイックキューブで４色以上の光を合成することができない。従って、投写型映像表示装置は、複数のダイクロイックキューブ（又は、クロスダイクロイックキューブ）を有する必要がある。
【０００６】
例えば、４色の光の合成が必要である場合には、投写型映像表示装置は、２色の光が合成された合成光を２つ取得して、２つの合成光をさらに合成することによって、４色の合成光を取得する。なお、投写型映像表示装置は、３色の光が合成された合成光を取得して、合成光と１色の光とを合成することによって、４色の合成光を取得してもよい。投写型映像表示装置は、２色の光が合成された合成光を取得して、合成光と２色の光とを合成することによって、４色の合成光を取得してもよい。
【０００７】
ここで、光変調素子と投写手段との間に、複数のダイクロイックキューブ（又は、クロスダイクロイックキューブ）を設ける必要がある。従って、投写手段のバックフォーカスが長くなる。
【０００８】
この結果、色再現性や輝度の向上を図ろうとした場合に、３色の光を利用する投写型映像表示装置で用いられる投写手段を転用することができないため、投写型映像表示装置のコストが全体として上昇してしまう。
【０００９】
そこで、本発明は、上述した課題を解決するためになされたものであり、装置全体のコスト上昇を抑制しながら、色再現性や輝度の向上を図ることを可能とする照明装置及び投写型映像表示装置を提供することを目的とする。
【課題を解決するための手段】
【００１０】
第１の特徴に係る照明装置は、白色光を出射する光源（光源１０）と、第１波長帯を有する第１色成分光と、第２波長帯を有する第２色成分光と、第３波長帯を有する第３色成分光とに、前記光源から出射された白色光を分離する色分離部（ダイクロイックミラー７１及びダイクロイックミラー７２）と、第１入力信号に基づいて、前記第１色成分光を変調する第１光変調素子（例えば、液晶パネル３０Ｒ）と、第２入力信号に基づいて、前記第２色成分光を変調する第２光変調素子（例えば、液晶パネル３０Ｇ）と、第３入力信号に基づいて、前記第３色成分光を変調する第３光変調素子（例えば、液晶パネル３０Ｂ）と、前記第１光変調素子から出射された前記第１色成分光と、前記第２光変調素子から出射された前記第２色成分光と、前記第３光変調素子から出射された前記第３色成分光とを合成する色合成部（クロスダイクロイックプリズム６０）とを備える。照明装置は、前記第２光変調素子の光入射側に設けられた偏光調整素子（偏光調整素子５１Ｘ）を備える。前記第２波長帯は、中央波長帯と、前記中央波長帯よりも短波長側の短波長帯と、前記中央波長帯よりも長波長側の長波長帯とを有する。前記偏光調整素子は、前記中央波長帯の光の偏光状態と前記短波長帯及び前記長波長帯の光の偏光状態とを個別に調整する。
【００１１】
かかる特徴によれば、偏光状態調整素子から出射された第２色成分光が、第２光変調素子に入射する。すなわち、色合成部に入射する光は３種類である。この結果、投写レンズユニットの設計を変更する必要がなく、装置全体のコスト上昇を抑制することができる。
【００１２】
かかる特徴によれば、偏光状態調整素子は、中央波長帯の光の偏光状態と短波長帯及び長波長帯の光の偏光状態とを個別に調整する。従って、色再現性を優先するモード（色再現優先モード）と輝度を優先するモード（輝度優先モード）とを切り替えることができる。
【００１３】
第１の特徴において、前記長波長帯は、前記短波長帯よりも広い波長帯を有する。
【００１４】
第１の特徴において、前記偏光調整素子は、前記中央波長帯の光の偏光状態を調整せずに、前記短波長帯及び前記長波長帯の光の偏光状態を調整するエッジフィルタの素子である。
【００１５】
第１の特徴において、前記偏光調整素子は、前記中央波長帯の光の偏光状態を調整せずに、前記短波長帯の光の偏光状態を調整する第１ノッチフィルタの素子と、前記中央波長帯の光の偏光状態を調整せずに、前記長波長帯の光の偏光状態を調整する第２ノッチフィルタの素子との組合せによって構成される。
【００１６】
第１の特徴において、前記第２波長帯は、少なくとも緑の波長帯を含む。
【００１７】
第２の特徴に係る投写型映像表示装置は、白色光を出射する光源と、第１波長帯を有する第１色成分光と、第２波長帯を有する第２色成分光と、第３波長帯を有する第３色成分光とに、前記光源から出射された白色光を分離する色分離部と、第１入力信号に基づいて、前記第１色成分光を変調する第１光変調素子と、第２入力信号に基づいて、前記第２色成分光を変調する第２光変調素子と、第３入力信号に基づいて、前記第３色成分光を変調する第３光変調素子と、前記第１光変調素子から出射された前記第１色成分光と、前記第２光変調素子から出射された前記第２色成分光と、前記第３光変調素子から出射された前記第３色成分光とを合成する色合成部と、前記色合成部から出射された光を投写する投写手段とを備える。投写型映像表示装置は、前記第２光変調素子の光入射側に設けられた偏光調整素子を備える。前記第２波長帯は、中央波長帯と、前記中央波長帯よりも短波長側の短波長帯と、前記中央波長帯よりも長波長側の長波長帯とを有する。前記偏光調整素子は、前記中央波長帯の光の偏光状態と前記短波長帯及び前記長波長帯の光の偏光状態とを個別に調整する。
【発明の効果】
【００１８】
本発明によれば、装置全体のコスト上昇を抑制しながら、色再現性や輝度の向上を図ることを可能とする照明装置及び投写型映像表示装置を提供することができる。
【発明を実施するための最良の形態】
【００１９】
以下において、本発明の実施形態に係る投写型映像表示装置について、図面を参照しながら説明する。なお、以下の図面の記載において、同一又は類似の部分には、同一又は類似の符号を付している。
【００２０】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２１】
［第１実施形態］
（投写型映像表示装置の構成）
以下において、第１実施形態に係る投写型映像表示装置の構成について、図面を参照しながら説明する。図１は、第１実施形態に係る投写型映像表示装置１００の構成を示す図である。
【００２２】
図１に示すように、投写型映像表示装置１００は、投写レンズユニット１１０と、照明装置１２０とを有する。投写型映像表示装置１００は、後述するように、赤成分光Ｒ、緑成分光Ｇ、青成分光Ｂを利用する。
【００２３】
第１実施形態では、赤成分光Ｒは、少なくとも赤の波長帯（第１波長帯）を有する光（第１色成分光）である。緑成分光Ｇは、少なくとも緑の波長帯（第２波長帯）を有する光（第２色成分光）である。青成分光Ｂは、少なくとも青の波長帯（第３波長帯）を有する光（第３色成分光）である。
【００２４】
第１実施形態では、緑の波長帯（第２波長帯）は、中央波長帯と、中央波長帯よりも短波長側の短波長帯と、中央波長帯よりも長波長側の長波長帯とを含む。以下においては、中央波長帯を有する光を“中央成分光Ｇｃ”と称する。短波長帯を有する光を“短波長成分光Ｇｓ”と称する。長波長帯を有する光を“長波長成分光Ｇｌ”と称する。なお、短波長成分光Ｇｓ及び長波長成分光Ｇｌをまとめて、“長−短成分光ＬＳ”と称する。
【００２５】
第１実施形態では、長波長成分光Ｇｌは、長波長側中間色の波長帯を有する。長波長側中間色は、緑と赤との間の色相を有する色である。具体的には、長波長側中間色は、緑と赤との間の色相を有する色（例えば、黄及び橙）を含む。
【００２６】
第１実施形態では、短波長成分光Ｇｓは、短波長側中間色の波長帯を有する。短波長側中間色は、青と緑との間の色相を有する色（例えば、シアンの一部（長波長側））を含む。
【００２７】
投写レンズユニット１１０は、照明装置１２０から出射された映像光をスクリーン（不図示）上などに投写する。
【００２８】
照明装置１２０は、光源１０と、ＵＶ／ＩＲカットフィルタ２０と、フライアイレンズユニット３０と、ＰＢＳアレイ４０と、複数の液晶パネル５０（液晶パネル５０Ｒ、液晶パネル５０Ｇ、液晶パネル５０Ｂ）と、偏光状態調整素子５１Ｘと、クロスダイクロイックプリズム６０と、ミラー群７０と、レンズ群８０とを有する。
【００２９】
光源１０は、白色光を発するＵＨＰランプなどである。すなわち、光源１０が発する光は、赤成分光Ｒ、緑成分光Ｇ及び青成分光Ｂを含む。緑成分光Ｇは、中央成分光Ｇｃ、長波長成分光Ｇｌ及び短波長成分光Ｇｓを含む。
【００３０】
ＵＶ／ＩＲカットフィルタ２０は、可視光成分（赤成分光Ｒ、緑成分光Ｇ及び青成分光Ｂ）を透過する。ＵＶ／ＩＲカットフィルタ２０は、赤外光成分や紫外光成分を遮光する。
【００３１】
フライアイレンズユニット３０は、光源１０が発する光を均一化する。具体的には、フライアイレンズユニット３０は、フライアイレンズ３０ａ及びフライアイレンズ３０ｂによって構成される。フライアイレンズ３０ａ及びフライアイレンズ３０ｂは、それぞれ、複数の微少レンズによって構成される。各微少レンズは、光源１０が発する光が液晶パネル５０の全面に照射されるように、光源１０が発する光を集光する。
【００３２】
ＰＢＳ（Ｐｏｌａｒｉｚｅｄ  Ｂｅａｍ  Ｓｐｌｉｔｔｅｒ）アレイ４０は、フライアイレンズユニット３０から出射された光の偏光状態を揃える。例えば、ＰＢＳアレイ４０は、フライアイレンズユニット３０から出射された光をＳ偏光（又はＰ偏光）に揃える。
【００３３】
液晶パネル５０Ｒは、赤成分光Ｒの偏光方向を回転させることによって赤成分光Ｒを変調する。液晶パネル５０Ｒに光が入射する側には、一の偏光方向（例えば、Ｓ偏光）を有する光を透過して、他の偏光方向（例えば、Ｐ偏光）を有する光を遮光する入射側偏光板５２Ｒが設けられている。液晶パネル５０Ｒから光が出射する側には、一の偏光方向（例えば、Ｓ偏光）を有する光を遮光して、他の偏光方向（例えば、Ｐ偏光）を有する光を透過する出射側偏光板５３Ｒが設けられている。
【００３４】
液晶パネル５０Ｇは、緑成分光Ｇの偏光状態を回転させることによって緑成分光Ｇを変調する。液晶パネル５０Ｇに光が入射する側には、一の偏光方向（例えば、Ｓ偏光）を有する光を透過して、他の偏光方向（例えば、Ｐ偏光）を有する光を遮光する入射側偏光板５２Ｇが設けられる。一方で、液晶パネル５０Ｇから光が出射する側には、一の偏光方向（例えば、Ｓ偏光）を有する光を遮光して、他の偏光方向（例えば、Ｐ偏光）を有する光を透過する出射側偏光板５３Ｇが設けられる。なお、緑成分光Ｇは、中央成分光Ｇｃ、長波長成分光Ｇｌ及び短波長成分光Ｇｓを含む。
【００３５】
液晶パネル５０Ｂは、青成分光Ｂの偏光方向を回転させることによって青成分光Ｂを変調する。液晶パネル５０Ｂに光が入射する側には、一の偏光方向（例えば、Ｓ偏光）を有する光を透過して、他の偏光方向（例えば、Ｐ偏光）を有する光を遮光する入射側偏光板５２Ｂが設けられる。一方で、液晶パネル５０Ｂから光が出射する側には、一の偏光方向（例えば、Ｓ偏光）を有する光を遮光して、他の偏光方向（例えば、Ｐ偏光）を有する光を透過する出射側偏光板５３Ｂが設けられる。
【００３６】
ここで、液晶パネル５０（液晶パネル５０Ｒ、液晶パネル５０Ｇ及び液晶パネル５０Ｂ）には、コントラスト比や透過率を向上させる補償板が設けられている（不図示）。また、各偏光板（入射側偏光板５２Ｒ、入射側偏光板５２Ｇ、入射側偏光板５２Ｂ、出射側偏光板５３Ｒ、出射側偏光板５３Ｇ、出射側偏光板５３Ｂ）は、偏光板に入射する光の光量や熱負担を軽減させるプリ偏光板を有していてもよい。
【００３７】
偏光状態調整素子５１Ｘは、後述するコンデンサレンズ８３Ｇと入射側偏光板５２Ｇとの間において、ダイクロイックミラー７２で分離された緑成分光Ｇの光路上に設けられている。偏光状態調整素子５１Ｘは、長−短成分光ＬＳの偏光状態を調整して緑成分光Ｇを透過する。一方で、偏光状態調整素子５１Ｘは、中央成分光Ｇｃの偏光状態を調整せずに緑成分光Ｇを透過する。
【００３８】
ここで、偏光状態調整素子５１Ｘは、長−短成分光ＬＳの偏光方向を回転させない状態と、長−短成分光ＬＳの偏光方向を９０°回転させる状態とを選択的に切り替え可能に構成された光学素子である。なお、偏光状態調整素子５１Ｘの詳細については、後述する（図７、図８を参照）。
【００３９】
クロスダイクロイックプリズム６０は、液晶パネル５０Ｒ、液晶パネル５０Ｇ及び液晶パネル５０Ｂから出射される光を合成する色合成部である。クロスダイクロイックプリズム６０で合成された合成光は、投写レンズユニット１１０に導かれる。
【００４０】
ミラー群７０は、ダイクロイックミラー７１と、ダイクロイックミラー７２と、反射ミラー７３〜反射ミラー７６とを有する。
【００４１】
ダイクロイックミラー７１は、後述するコンデンサレンズ８２から出射された光のうち、青成分光Ｂを透過する。ダイクロイックミラー７１は、コンデンサレンズ８２から出射された光のうち、赤成分光Ｒ及び緑成分光Ｇを反射する。
【００４２】
ダイクロイックミラー７２は、ダイクロイックミラー７１を反射した光のうち、赤成分光Ｒを透過する。ダイクロイックミラー７２は、ダイクロイックミラー７１を透過した光のうち、緑成分光Ｇを反射する。
【００４３】
反射ミラー７３は、コンデンサレンズ８１から出射された光（赤成分光Ｒ、緑成分光Ｇ及び青成分光Ｂ）を反射して、ダイクロイックミラー７１及び反射ミラー７４側へ導く。
【００４４】
反射ミラー７４は、ダイクロイックミラー７１を透過した青成分光Ｂを反射して液晶パネル５０Ｂ側へ導く。反射ミラー７５は、ダイクロイックミラー７２を透過した赤成分光Ｒを反射して反射ミラー７６側へ導く。反射ミラー７６は、反射ミラー７５で反射された赤成分光Ｒを反射して液晶パネル５０Ｒ側へ導く。
【００４５】
レンズ群８０は、コンデンサレンズ８１と、コンデンサレンズ８２と、コンデンサレンズ８３Ｒと、コンデンサレンズ８３Ｇと、コンデンサレンズ８３Ｂと、リレーレンズ８４と、リレーレンズ８５とを有する。
【００４６】
コンデンサレンズ８１は、ＵＶ／ＩＲカットフィルタ２０、フライアイレンズユニット３０及びＰＢＳアレイ４０を透過した光を集光する。コンデンサレンズ８２は、反射ミラー７３を反射した光を集光する。
【００４７】
コンデンサレンズ８３Ｒは、液晶パネル５０Ｒに赤成分光Ｒが照射されるように、赤成分光Ｒを略平行光化する。コンデンサレンズ８３Ｇは、液晶パネル５０Ｇに緑成分光Ｇが照射されるように、緑成分光Ｇを略平行光化する。コンデンサレンズ８３Ｂは、液晶パネル５０Ｂに青成分光Ｂが照射されるように、青成分光Ｂを略平行光化する。
【００４８】
リレーレンズ８４及びリレーレンズ８５は、赤成分光Ｒの拡大を抑制しながら、液晶パネル５０Ｒ上に赤成分光Ｒを略結像する。
【００４９】
（従来技術と実施形態との差異）
以下において、従来技術と実施形態との差異について説明する。具体的には、従来技術（１）、従来技術（２）、実施形態の順に、図２〜図５を参照しながら説明する。
【００５０】
以下においては、青成分光Ｂと緑成分光Ｇとを分離するダイクロイックミラーのカットオフ波長を“ＤＭ１”と表す。緑成分光Ｇと赤成分光Ｒとを分離するダイクロイックミラーのカットオフ波長を“ＤＭ２”と表す。
【００５１】
なお、ダイクロイックミラーは、カットオフ波長で色成分光を２つの色成分光に分離する。但し、ダイクロイックミラーは、色成分光を完全に２つの色成分光に分離できないことに留意すべきである。従って、色成分光の分離後において、一方の色成分光（短波長側）は、カットオフ波長よりも長波長側の光を含むことに留意すべきである。同様に、色成分光の分離後において、他方の色成分光（長波長側）は、カットオフ波長よりも短波長側の光を含むことに留意すべきである。
【００５２】
第１に、従来技術（１）に係る照明装置について、図２を参照しながら説明する。従来技術（１）に係る照明装置では、黄成分光Ｙｅが利用されないことに留意すべきである。
【００５３】
図２に示すように、ＤＭ１は、青と緑との間の色相を有する中間色の波長帯に設けられる。例えば、ＤＭ１は、４９５〜５１０ｎｍの範囲である。ＤＭ２は、緑と赤との間の色相を有する中間色の波長帯に設けられる。例えば、ＤＭ２は、５８５〜６００ｎｍの範囲である。
【００５４】
ここで、従来技術（１）に係る照明装置には、黄成分光Ｙｅをカットするためのカットフィルタが設けられている。ここでは、カットフィルタのカットオフ波長を“ＣＦ”と表す。ＣＦは、緑と赤との間の色相を有する中間色の波長帯に設けられる。例えば、ＣＦは、５７５〜５９５ｎｍの範囲である。ここで、カットフィルタは、ダイクロイックミラーよりは、ＣＦを境界として急峻に黄成分光Ｙｅをカットできることに留意すべきである。
【００５５】
なお、ＣＦとＤＭ２との間に挟まれた波長帯を有する光がカットされることに留意すべきである。図２では、ＤＭ２の短波長側にＣＦが設けられているが、ＤＭ２の長波長側にＣＦが設けられていてもよい。このようなケースでは、ＤＭ２が短波長側にシフトすることは勿論である。
【００５６】
第２に、従来技術（２）に係る照明装置について、図３を参照しながら説明する。従来技術（２）に係る照明装置は、黄成分光Ｙｅを利用する輝度優先モードと、黄成分光Ｙｅを利用しない色再現優先モードとを有する。但し、色再現優先モードでは、緑成分光Ｇの長波長側の光のみがカットされる。
【００５７】
図３に示すように、ＤＭ１は、青と緑との間の色相を有する中間色の波長帯に設けられる。例えば、ＤＭ１は、従来技術（１）に係るＤＭ１と同様に、４９５〜５１０ｎｍの範囲である。ＤＭ２は、緑と赤との間の色相を有する中間色の波長帯に設けられる。例えば、ＤＭ２は、５８５〜６００ｎｍの範囲である。
【００５８】
ここで、従来技術（２）に係る照明装置には、黄成分光Ｙｅを選択的にカットするための重畳選択光学素子が設けられている。重畳選択光学素子は、輝度優先モードにおいて、黄成分光Ｙｅを透過する。一方で、重畳選択光学素子は、色再現優先モードにおいて、黄成分光Ｙｅをカットする。色再現優先モードにおいて、重畳選択光学素子が黄成分光Ｙｅをカットする短波長側カット波長は、例えば、従来技術（１）に係るＣＦと同様に、５７５〜５９５ｎｍの範囲である。
【００５９】
ここで、重畳選択光学素子は、ダイクロイックミラーよりは、短波長側カット波長を境界として急峻に黄成分光Ｙｅをカットできることに留意すべきである。
【００６０】
第３に、実施形態に係る照明装置について、図４及び図５を参照しながら説明する。実施形態に係る照明装置は、長−短成分光ＬＳを利用する輝度優先モードと、長−短成分光ＬＳを利用しない色再現優先モードとを有する。長−短成分光ＬＳは、長波長成分光Ｇｌ及び短波長成分光Ｇｓを含む。色再現優先モードでは、長波長成分光Ｇｌ及び短波長成分光Ｇｓの双方がカットされる。
【００６１】
図４及び図５に示すように、ＤＭ１は、青と緑との間の色相を有する中間色の波長帯に設けられる。例えば、ＤＭ１は、従来技術（１）に係るＤＭ１と同様に、４９５〜５１０ｎｍの範囲である。
【００６２】
ＤＭ２は、緑と赤との間の色相を有する中間色の波長帯に設けられる。例えば、ＤＭ２は、５９０〜６１０ｎｍの範囲である。すなわち、実施形態に係るＤＭ２は、従来技術（１）及び従来技術（２）に係るＤＭ２よりも長波長側に設けられる。従って、長波長成分光Ｇｌの波長帯（短波長帯）は、短波長成分光Ｇｓの波長帯（長波長帯）よりも広いことに留意すべきである。
【００６３】
ここで、実施形態に係る照明装置には、長−短成分光ＬＳを選択的にカットするための偏光状態調整素子が設けられる。偏光状態調整素子は、輝度優先モードにおいて、長−短成分光ＬＳが液晶パネル５０Ｇに到達するように、長−短成分光ＬＳの偏光状態を調整する。一方で、偏光状態調整素子は、色再現優先モードにおいて、長−短成分光ＬＳが液晶パネル５０Ｇに到達しないように、長−短成分光ＬＳの偏光状態を調整する。
【００６４】
色再現優先モードにおいて、偏光状態調整素子が長波長成分光Ｇｌをカットする短波長側カット波長は、例えば、従来技術（１）に係るＣＦと同様に、５７５〜５９５ｎｍの範囲である。色再現優先モードにおいて、偏光状態調整素子が短波長成分光Ｇｓをカットする長波長側カット波長は、例えば、５００〜５１５ｎｍの範囲である。
【００６５】
すなわち、実施形態に係る輝度優先モードでは、図４に示すように、緑成分光Ｇ及び長−短成分光ＬＳの全てが利用される。一方で、実施形態に係る色再現優先モードでは、図５に示すように、長−短成分光ＬＳがカットされて、緑成分光Ｇのみが利用される。色再現優先モードにおいて、緑成分光Ｇの波長帯の下限は、５００〜５１５ｎｍの範囲であり、緑成分光Ｇの波長帯の上限は、５６５〜５８０ｎｍの範囲である。
【００６６】
このように、実施形態に係る輝度優先モードでは、従来技術（２）と同様の輝度を確保することができる。なお、実施形態に係る輝度優先モードでは、従来技術（１）よりも高輝度を確保することができることは勿論である。
【００６７】
一方で、実施形態に係る色再現優先モードでは、ＤＭ２の長波長側へのシフトによって、赤成分光Ｒによって再現される赤の純度は、従来技術（１）及び従来技術（２）よりも高い。実施形態に係る色再現優先モードでは、長波長成分光Ｇｌ及び短波長成分光Ｇｓのカットによって、緑成分光Ｇによって再現される緑の純度は、従来技術（１）及び従来技術（２）よりも高い。実施形態に係る色再現優先モードでは、長波長成分光Ｇｌに加えて、短波長成分光Ｇｓをカットすることによって、緑成分光Ｇによって再現される緑の青側へのシフトも抑制できる。
【００６８】
（偏光状態調整素子の構成）
以下において、色再現優先モードで緑の色純度及び赤の色純度を向上する仕組みについて説明する。具体的には、第１実施形態に係る偏光状態調整素子の構成について、図面を参照しながら説明する。図６は、第１実施形態に係る偏光状態調整素子５１Ｘ近傍の概略構成を示す図である。
【００６９】
図６に示すように、長−短成分光ＬＳ、すなわち、長波長成分光Ｇｌ及び短波長成分光Ｇｓは、ダイクロイックミラー７１で反射される。同様に、中央成分光Ｇｃは、ダイクロイックミラー７１で反射される。これによって、中央成分光Ｇｃ及び長−短成分光ＬＳは、偏光状態調整素子５１Ｘに導かれる。
【００７０】
ここで、長−短成分光ＬＳの偏光状態が偏光状態調整素子５１Ｘによって調整された場合には、長−短成分光ＬＳは、入射側偏光板５２Ｇで遮光される。ここで、長−短成分光ＬＳの偏光状態が偏光状態調整素子５１Ｘによって調整されない場合には、長−短成分光ＬＳは、入射側偏光板５２Ｇを透過する。
【００７１】
図７（ａ）に示すように、偏光状態調整素子５１Ｘは、ＬＳ−ＯＮ状態において、長−短成分光ＬＳの偏光状態を調整せずに透過する。すなわち、偏光状態調整素子５１Ｘの光出射側において、長−短成分光ＬＳの偏光状態は、中央成分光Ｇｃの偏光状態と同じである。ＬＳ−ＯＮ状態は、長−短成分光ＬＳを利用する状態である。
【００７２】
図７（ｂ）に示すように、偏光状態調整素子５１Ｘは、ＬＳ−ＯＦＦ状態において、長−短成分光ＬＳの偏光状態を調整して透過する。すなわち、偏光状態調整素子５１Ｘの光出射側において、長−短成分光ＬＳの偏光状態は、中央成分光Ｇｃの偏光状態と異なっている。ＬＳ−ＯＦＦ状態は、長−短成分光ＬＳを利用しない状態である。
【００７３】
なお、本実施形態では、ＬＳ−ＯＮ状態として、偏光状態調整素子５１Ｘに電圧が印可されていない状態（電源ＯＦＦ）であるものとして説明するが、ＬＳ−ＯＦＦ状態には、偏光状態調整素子５１Ｘに低電圧が印可される状態（低電圧印可状態）を含むことに留意すべきである。
【００７４】
なお、本実施形態では、ＬＳ−ＯＦＦ状態として、偏光状態調整素子５１Ｘに電圧が印加された状態（電源ＯＮ）であるものとして説明するが、ＬＳ−ＯＮ状態には、偏光状態調整素子５１Ｘに高電圧が印可される状態（高電圧印可状態）を含むことに留意すべきである。
【００７５】
図７（ａ）及び図７（ｂ）に示したように、ＬＳ−ＯＮ状態とＬＳ−ＯＦＦ状態との切替えによって、クロスダイクロイックプリズム６０に到達する長−短成分光ＬＳの光量が制御される。すなわち、偏光状態調整素子５１Ｘが長−短成分光ＬＳの偏光状態が調整されることによって、色再現性を優先するモード（色再現優先モード）と輝度を優先するモード（輝度優先モード）とが切り替えられる。
【００７６】
以下において、偏光状態調整素子５１Ｘとして、エッジフィルタタイプを用いる場合について説明する。図８は、第１実施形態に係るエッジフィルタタイプの素子を説明するための図である。
【００７７】
図８に示すように、エッジフィルタタイプの偏光状態調整素子５１Ｘは、電圧が印加されていない状態（ＯＦＦ状態）においては、各色成分光（中央成分光Ｇｃ及び長−短成分光ＬＳ）の偏光方向をいずれも回転させない。
【００７８】
一方、エッジフィルタタイプの偏光状態調整素子５１Ｘは、電圧が印加された状態（ＯＮ状態）では、長−短成分光ＬＳ（長波長成分光Ｇｌ及び短波長成分光Ｇｓ）の偏光方向を回転させ、中央成分光Ｇｃの偏光方向を回転させない。
【００７９】
なお、図８は、エッジフィルタタイプの偏光状態調整素子５１Ｘに入射した際における各色成分光の偏光方向が回転されずにエッジフィルタタイプの偏光状態調整素子５１Ｘを透過する比率（透過率）を示している。従って、図８では、透過率が低ければ低いほど、色成分光の偏光方向が回転することに留意すべきである。
【００８０】
（偏光状態調整素子の機能）
以下において、第１実施形態に係る偏光状態調整素子の機能について、図面を参照しながら説明する。図９は、第１実施形態に係る偏光状態調整素子５１Ｘの素子の機能について説明するための図である。
【００８１】
図９では、偏光状態調整素子５１Ｘと入射側偏光板５２Ｇとの組合せが示されている。偏光状態調整素子５１Ｘ−１は、電圧が印加された状態（電源ＯＮ）で長−短成分光ＬＳ（長波長成分光Ｇｌ及び短波長成分光Ｇｓ）の偏光方向のみを９０°回転させる素子である。一方で、偏光状態調整素子５１Ｘ−２は、電圧が印加されていない状態（電源ＯＦＦ）で長−短成分光ＬＳの偏光方向のみを９０°回転させる素子である。
【００８２】
入射側偏光板５２Ｇ−１は、Ｐ偏光を有する光を透過して、Ｓ偏光を有する光を遮光する素子である。入射側偏光板５２Ｇ−１は、例えば、光源１０が発する光がＰ偏光に揃えられる場合に用いられる。一方で、入射側偏光板５２Ｇ−２は、Ｓ偏光を有する光を透過して、Ｐ偏光を有する光を遮光する素子である。入射側偏光板５２Ｇ−２は、例えば、光源１０が発する光がＳ偏光に揃えられる場合に用いられる。
【００８３】
第１に、光源１０が発する光がＰ偏光に揃えられるケースにおいて、偏光状態調整素子５１Ｘ−１を用いる場合について考える。クロスダイクロイックプリズム６０に到達する長−短成分光ＬＳの光量は、偏光状態調整素子５１Ｘ−１に電圧が印加されていない状態（電源ＯＦＦ）で最大となる。なお、偏光状態調整素子５１Ｘ−１に電圧が印加された状態（電源ＯＮ）では、長−短成分光ＬＳの偏光方向（Ｓ偏光）が中央成分光Ｇｃの偏光方向（Ｐ偏光）と異なる。このため、Ｓ偏光の長−短成分光ＬＳは、入射側偏光板５２Ｇ−１で遮光される。
【００８４】
第２に、光源１０が発する光がＰ偏光に揃えられるケースにおいて、偏光状態調整素子５１Ｘ−２を用いる場合について考える。クロスダイクロイックプリズム６０に到達する長−短成分光ＬＳの光量は、偏光状態調整素子５１Ｘ−２に電圧が印加された状態（電源ＯＮ）で最大となる。なお、偏光状態調整素子５１Ｘ−２に電圧が印加されていない状態（電源ＯＦＦ）では、長−短成分光ＬＳの偏光方向（Ｓ偏光）が中央成分光Ｇｃの偏光方向（Ｐ偏光）と異なる。このため、Ｓ偏光の長−短成分光ＬＳは、入射側偏光板５２Ｇ−１で遮光される。
【００８５】
第３に、光源１０が発する光がＳ偏光に揃えられるケースにおいて、偏光状態調整素子５１Ｘ−１を用いる場合について考える。クロスダイクロイックプリズム６０に到達する長−短成分光ＬＳの光量は、偏光状態調整素子５１Ｘ−１に電圧が印加されていない状態（電源ＯＦＦ）で最大となる。なお、偏光状態調整素子５１Ｘ−１に電圧が印加された状態（電源ＯＮ）では、長−短成分光ＬＳの偏光方向（Ｐ偏光）が中央成分光Ｇｃの偏光方向（Ｓ偏光）と異なる。このため、Ｐ偏光の長−短成分光ＬＳは、入射側偏光板５２Ｇ−２で遮光される。
【００８６】
第４に、光源１０が発する光がＳ偏光に揃えられるケースにおいて、偏光状態調整素子５１Ｘ−２を用いる場合について考える。クロスダイクロイックプリズム６０に到達する長−短成分光ＬＳの光量は、偏光状態調整素子５１Ｘ−２に電圧が印加された状態（電源ＯＮ）で最大となる。なお、偏光状態調整素子５１Ｘ−２に電圧が印加されていない状態（電源ＯＦＦ）では、長−短成分光ＬＳの偏光方向（Ｐ偏光）が中央成分光Ｇｃの偏光方向（Ｓ偏光）と異なる。このため、Ｐ偏光の長−短成分光ＬＳは、入射側偏光板５２Ｇ−２で遮光される。
【００８７】
（投写型映像表示装置の機能）
以下において、第１実施形態に係る投写型映像表示装置の機能について、図面を参照しながら説明する。図１０は、第１実施形態に係る投写型映像表示装置１００の機能を示すブロック図である。
【００８８】
図１０に示すように、投写型映像表示装置１００は、制御部２００を有する。制御部２００は、信号受付部２１０と、モード設定部２２０と、変調量制御部２３０とを有する。
【００８９】
信号受付部２１０は、各色信号（第１入力信号（以下、Ｒ信号）、第２入力信号（以下、Ｇ信号）、第３入力信号（以下、Ｂ信号））を受付ける。例えば、信号受付部２１０は、映像信号から色信号を分離する色分離ブロックから各色信号を取得する。
【００９０】
モード設定部２２０は、色再現性を優先するモード（色再現優先モード）又は輝度を優先するモード（輝度優先モード）を制御する。すなわち、モード設定部２２０は、偏光状態調整素子５１Ｘによって長−短成分光ＬＳ（長波長成分光Ｇｌ及び短波長成分光Ｇｓ）の偏光方向を回転させるか否かを制御する。
【００９１】
変調量制御部２３０は、信号受付部２１０から取得したＲ信号、Ｇ信号、Ｂ信号に基づいて、各液晶パネル５０（液晶パネル５０Ｒ、液晶パネル５０Ｇ、液晶パネル５０Ｂ）の変調量を制御する。また、変調量制御部２３０は、偏光状態調整素子５１Ｘの変調量を制御する。
【００９２】
具体的には、変調量制御部２３０は、Ｒ信号を液晶パネル５０Ｒへ入力する。同様に、変調量制御部２３０は、Ｇ信号を液晶パネル５０Ｇへ入力する。同様に、変調量制御部２３０は、Ｂ信号を液晶パネル５０Ｂへ入力する。
【００９３】
変調量制御部２３０は、長−短成分光ＬＳを制御するためのＬＳ信号を生成して、ＬＳ信号を偏光状態調整素子５１Ｘに入力する。具体的には、変調量制御部２３０は、色再現優先モードが選択されている場合には、ＬＳ−ＯＦＦ状態となるように長−短成分光ＬＳの偏光状態を調整するＬＳ信号を偏光状態調整素子５１Ｘに入力する。変調量制御部２３０は、輝度優先モードが選択されている場合には、ＬＳ−ＯＮ状態となるように長−短成分光ＬＳの偏光状態を調整するＬＳ信号を偏光状態調整素子５１Ｘに入力する。
【００９４】
（各色成分光の波長帯）
以下において、第１実施形態に係る各色成分光の波長帯について、図面を参照しながら説明する。図１１は、第１実施形態に係る各色成分光の波長帯を示す図である。
【００９５】
図１１に示すように、赤成分光Ｒは、少なくとも赤の波長帯（第１波長帯）を有する光（第１色成分光）である。第１実施形態では、赤成分光Ｒは、緑と赤との間の色相を有する長波長側中間色の波長帯よりも長波長側の波長帯を有する。長波長側中間色は、例えば、黄及び橙である。
【００９６】
青成分光Ｂは、少なくとも青の波長帯（第３波長帯）を有する光（第３色成分光）である。第１実施形態では、青成分光Ｂは、青と緑との間の色相を有する短波長側中間色の波長帯よりも短波長側の波長帯を有する。短波長側中間色は、例えば、シアンの一部（長波長側）である。
【００９７】
緑成分光Ｇは、少なくとも緑の波長帯（第２波長帯）を有する光（第２色成分光）である。第１実施形態では、緑成分光Ｇは、短波長側中間色の波長帯よりも長波長側の波長帯を有する。緑成分光Ｇは、長波長側中間色の波長帯よりも短波長側の波長帯を有する。
【００９８】
上述したように、緑成分光Ｇは、中央成分光Ｇｃと、短波長成分光Ｇｓと、長波長成分光Ｇｌとを含む。第１実施形態では、長波長成分光Ｇｌは、長波長側中間色（例えば、黄及び橙）の波長帯を有する。短波長成分光Ｇｓは、短波長側中間色（例えば、シアンの一部（長波長側）の波長帯を有する。
【００９９】
光源１０が発する光の光量は、光源１０が発する光の比視感度と光源１０が発するエネルギーとの積である。光源１０が発する光の光量は、緑の波長帯及び黄の波長帯でピークを有する。
【０１００】
光源１０が発する光の比視感度は、光源１０が発する光のエネルギーが同じ場合の最大感度に対する波長ごとの感度の比率（相対値）である。光源１０が発する光の比視感度は、緑の波長帯でピークを有しており、緑の波長帯から長波長（又は、短波長）となるに従って減少する。
【０１０１】
光源１０が発する光の特性から分かるように、スクリーン（不図示）上などに投写される映像の輝度向上を図るために、赤の波長帯を有する光、緑の波長帯を有する光、青の波長帯を有する光に加えて、黄の波長帯を有する光を利用することが好ましい。
【０１０２】
ここで、青成分光Ｂと他の色成分光とを分離するダイクロイックミラー７１のカットオフ波長は、短波長側中間色の波長帯よりも短波長側に設けられる。ダイクロイックミラー７１のカットオフ波長は、例えば、約４９５〜５１０ｎｍの範囲内に設けられる。
【０１０３】
一方、赤成分光Ｒと他の色成分光とを分離するダイクロイックミラー７２のカットオフ波長は、長波長側中間色の波長帯よりも長波長側に設けられる。ダイクロイックミラー７２のカットオフ波長は、例えば、約５９５〜６０５の範囲内に設けられる。
【０１０４】
第１実施形態では、ダイクロイックミラーのカットオフ波長が従来技術よりも長波長側に設けられている。これによって、赤成分光Ｒによって再現される赤の純度が向上する。一方で、輝度優先モードにおいて、黄や橙の波長帯を有する光を含む長波長成分光Ｇｌが用いられるため、スクリーンに投写される輝度の向上を図ることができる。
【０１０５】
第１実施形態では、色再現モードにおいて、短波長成分光Ｇｓ及び長波長成分光Ｇｌがカットされるため、緑成分光Ｇ（すなわち、中央成分光Ｇｃ）によって再現される緑の純度が向上する。
【０１０６】
（色再現範囲の比較）
以下において、従来技術に係る色再現範囲と実施形態に係る色再現範囲とを比較する。具体的には、上述した従来技術（２）に係る色再現範囲と、実施形態に係る色再現範囲との比較について、図１２を参照しながら説明する。
【０１０７】
図１２に示すように、従来技術（２）に係る色再現優先モードでは、重畳選択光学素子によって黄成分光Ｙｅのみがカットされる。一方で、実施形態に係る色再現優先モードでは、偏光状態調整素子によって長波長成分光Ｇｌ及び短波長成分光Ｇｓがカットされる。
【０１０８】
従って、実施形態に係る色再現優先モード（ＬＳ−ＯＦＦ）では、従来技術（２）に比べて、緑成分光Ｇによって再現される緑の青側へのシフトが抑制される。すなわち、実施形態に係る色再現優先モードでは、従来技術（２）に比べて、緑成分光Ｇによって再現される緑の純度が高い。
【０１０９】
実施形態に係る色再現優先モードでは、従来技術（２）と比べて、ＤＭ２が長波長側に設けられる。従って、実施形態に係る色再現優先モードでは、従来技術（２）と比べて、赤成分光Ｒによって再現される赤の純度が高い。
【０１１０】
このように、実施形態に係る色再現優先モード（ＬＳ−ＯＦＦ）では、従来技術（２）と比べて、緑及び赤の純度が高く、色再現範囲が適切に広がっている。
【０１１１】
なお、実施形態に係る輝度優先モード（ＬＳ−ＯＮ）では、従来技術（２）と同様に、光源から出射される光が有効に利用される。従って、実施形態に係る輝度優先モードでは、従来技術（２）と同等の輝度が確保される。
【０１１２】
（作用及び効果）
第１実施形態では、偏光状態調整素子５１Ｘから出射された緑成分光Ｇが、緑成分光Ｇに対する液晶パネル５０Ｇに入射する。すなわち、クロスダイクロイックプリズム６０に入射する光は３種類である。この結果、投写レンズユニット１１０の設計を変更する必要がなく、装置全体のコスト上昇を抑制することができる。
【０１１３】
第１実施形態では、偏光状態調整素子５１Ｘは、中央成分光Ｇｃの偏光状態と長−短成分光ＬＳ（長波長成分光Ｇｌ及び短波長成分光Ｇｓ）の偏光状態とを個別に調整する。具体的には、偏光状態調整素子５１Ｘは、中央成分光Ｇｃの偏光状態を調整せずに中央成分光Ｇｃを透過し、長−短成分光ＬＳ（長波長成分光Ｇｌ及び短波長成分光Ｇｓ）の偏光状態を調整して長−短成分光ＬＳを透過する。従って、色再現性を優先するモード（色再現優先モード）と輝度を優先するモード（輝度優先モード）とを切り替えることができる。
【０１１４】
第１実施形態では、色再現優先モードにおいて、長−短成分光ＬＳ（長波長成分光Ｇｌ及び短波長成分光Ｇｓ）が緑成分光Ｇからカットされることによって、緑成分光Ｇ（中央成分光Ｇｃ）によって再現される緑の色純度が向上する。一方、輝度優先モードにおいて、長−短成分光ＬＳ（長波長成分光Ｇｌ及び短波長成分光Ｇｓ）が緑成分光Ｇに含まれるため、クロスダイクロイックプリズム６０に導かれる光量が増大する。
【０１１５】
第１実施形態では、長波長成分光Ｇｌは、長波長側中間色（例えば、黄及び橙）の波長帯を有する。すなわち、赤成分光Ｒは、長波長側中間色の波長帯よりも長波長側の波長帯を有する。このように、赤成分光Ｒが長波長側中間色（特に、橙）の波長帯を含まないため、赤成分光Ｒによって再現される赤の色純度が向上する。
【０１１６】
第１実施形態では、短波長成分光Ｇｓは、短波長側中間色（例えば、シアンの一部）の波長帯を有する。すなわち、青成分光Ｂは、短波長側中間色の波長帯よりも長波長側の波長帯を有する。このように、青成分光Ｂが短波長側中間色の波長帯を含まないため、青成分光Ｂによって再現される青の色純度が向上する。
【０１１７】
第１実施形態では、長波長成分光Ｇｌは、長波長側中間色（特に、橙）の波長帯を含む。一方で、色再現優先モードにおいて、長波長成分光Ｇｌがカットされる。ここで、色再現優先モードにおいて、長波長成分光Ｇｌに加えて、短波長成分光Ｇｓをカットすることによって、緑成分光Ｇによって再現される緑の青側へのシフトを抑制することができる。
【０１１８】
［第２実施形態］
以下において、第２実施形態に係る投写型映像表示装置について、図面を参照しながら説明する。なお、上述した第１実施形態と第２実施形態との相違点について主として説明する。
【０１１９】
具体的には、上述した第１実施形態では、偏光状態調整素子５１Ｘは、エッジフィルタタイプの素子である。これに対して、第２実施形態では、偏光状態調整素子５１Ｘは、ノッチフィルタタイプの素子である。
【０１２０】
（偏光状態調整素子の構成）
以下において、第２実施形態に係る偏光状態調整素子５１Ｘとして、ノッチフィルタタイプの素子を用いた場合について、図面を参照しながら説明する。図１３は、第２実施形態に係る偏光状態調整素子５１Ｘ近傍の概略構成を示す図である。
【０１２１】
図１３に示すように、ノッチフィルタタイプの偏光状態調整素子５１Ｘは、コンデンサレンズ８３Ｇと入射側偏光板５２Ｇとの間において、ダイクロイックミラー７２で分離された緑成分光Ｇ（中央成分光Ｇｃ及び長−短成分光ＬＳ）の光路上に、２枚重ね合わされて設けられている。
【０１２２】
具体的には、ノッチフィルタタイプの偏光状態調整素子５１Ｘは、入射側偏光状態調整素子５１Ｘ−Ａと、出射側偏光状態調整素子５１Ｘ−Ｂとによって構成される。
【０１２３】
例えば、入射側偏光状態調整素子５１Ｘ−Ａは、中央成分光Ｇｃを調整せずに、長波長側中間色（例えば、黄及び橙）の波長帯を有する長波長成分光Ｇｌの偏光状態のみを調整する。一方、出射側偏光状態調整素子５１Ｘ−Ｂは、中央成分光Ｇｃを調整せずに、短波長側中間色（例えば、シアンの一部（長波長側））の波長帯を有する短波長成分光Ｇｓの偏光状態のみを調整する。
【０１２４】
（偏光状態調整素子の機能）
以下において、第２実施形態に係る入射側偏光状態調整素子５１Ｘ−Ａ及び出射側偏光状態調整素子５１Ｘ−Ｂの機能について、図面を参照しながら説明する。図１４は、第２実施形態に係るノッチフィルタタイプの素子の機能について説明するための図である。
【０１２５】
図１４（ａ）に示すように、入射側偏光状態調整素子５１Ｘ−Ａは、入射側偏光状態調整素子５１Ｘ−Ａに電圧が印加されていない状態（電源ＯＦＦ）において、長波長成分光Ｇｌの偏光方向を回転させずに、緑成分光Ｇを透過する。
【０１２６】
一方、入射側偏光状態調整素子５１Ｘ−Ａは、入射側偏光状態調整素子５１Ｘ−Ａに電圧が印加された状態（電源ＯＮ）において、長波長成分光Ｇｌの偏光方向のみを回転させ、緑成分光Ｇを透過する。
【０１２７】
図１４（ｂ）に示すように、出射側偏光状態調整素子５１Ｘ−Ｂは、出射側偏光状態調整素子５１Ｘ−Ｂに電圧が印加されていない状態（電源ＯＦＦ）において、短波長成分光Ｇｓの偏光方向を回転させずに、緑成分光Ｇを透過する。
【０１２８】
一方、出射側偏光状態調整素子５１Ｘ−Ｂは、出射側偏光状態調整素子５１Ｘ−Ｂに電圧が印加された状態（電源ＯＮ）において、短波長成分光Ｇｓの偏光方向のみを回転させ、緑成分光Ｇを透過する。
【０１２９】
（作用・効果）
第２実施形態に係る投写型映像表示装置１００によれば、ノッチフィルタタイプの偏光状態調整素子５１Ｘを用いる場合に、入射側偏光状態調整素子５１Ｘ−Ａと出射側偏光状態調整素子５１Ｘ−Ｂとを重ね合わせることによって、中央成分光Ｇｃの偏光状態と長波長成分光Ｇｌ及び短波長成分光Ｇｓの偏光状態とを個別に調整することができる。従って、第１実施形態と同様の効果を得ることができる。
【０１３０】
［第３実施形態］
以下において、第３実施形態について図面を参照しながら説明する。第３実施形態では、上述した液晶パネル５０の構成について詳述する。
【０１３１】
（光変調素子の構成）
以下において、第３実施形態における光変調素子の構成について、図面を参照しながら説明する。図１５は、第３実施形態における液晶パネル５０（特に、偏光状態調整素子５１Ｘなど）の構成を示す図である。なお、図１５は、液晶パネル５０の光入射面（又は、光出射面）側から液晶パネル５０を見た図である。
【０１３２】
図１５に示すように、液晶パネル５０は、複数のセグメント３１０と、複数の透明電極３２０とを有する。
【０１３３】
セグメント３１０は、マトリクス状に配置されており、４つの領域（領域Ａ〜領域Ｄ）として捉えることができる。
【０１３４】
液晶パネル５０の上半分に設けられた領域（領域Ａ及び領域Ｂ）では、セグメント３１０の位置が上方向となるに従って、セグメント３１０の面積が小さくなっている。一方で、液晶パネル５０の下半分に設けられた領域（領域Ｃ及び領域Ｄ）では、セグメント３１０の位置が下方向となるに従って、セグメント３１０の面積が小さくなっている。
【０１３５】
一方で、液晶パネル５０の左半分に設けられた領域（領域Ａ及び領域Ｄ）では、各セグメント３１０の左側に透明電極３２０が設けられている。液晶パネル５０の右半分に設けられた領域（領域Ｂ及び領域Ｃ）では、各セグメント３１０の右側に透明電極３２０が設けられている。
【０１３６】
ここで、セグメント３１１〜セグメント３１４を例に挙げて、各セグメント３１０の構成についてさらに詳細に説明する。
【０１３７】
セグメント３１１の上側に設けられたセグメント３１２の面積は、セグメント３１１に接続された透明電極３２１の幅分だけ、セグメント３１１の面積よりも小さい。
【０１３８】
セグメント３１２の上側に設けられたセグメント３１３の面積は、セグメント３１２に接続された透明電極３２２の幅分だけ、セグメント３１２の面積よりもさらに小さい。すなわち、セグメント３１３の面積は、透明電極３２１及び透明電極３２２の幅分だけ、セグメント３１１の面積よりも小さい。
【０１３９】
セグメント３１３の上側に設けられたセグメント３１４の面積は、セグメント３１３に接続された透明電極３２３の幅分だけ、セグメント３１３の面積よりもさらに小さい。すなわち、セグメント３１４の面積は、透明電極３２１〜透明電極３２３の幅分だけ、セグメント３１１の面積よりも小さい。
【０１４０】
透明電極３２０は、透明な部材によって構成されており、各セグメント３１０にそれぞれ接続されている。また、透明電極３２０は、セグメント３１０の面積の縮小によって空いたスペースに設けられている。
【０１４１】
液晶パネル５０の上半分に設けられた領域（領域Ａ及び領域Ｂ）では、透明電極３２０は、液晶パネル５０の上側に設けられたＦＰＣ；Ｆｌｅｘｉｂｌｅ  Ｐｒｉｎｔｅｄ  Ｃｉｒｃｕｉｔ（不図示）に接続されている。液晶パネル５０の下半分に設けられた領域（領域Ｃ及び領域Ｄ）では、透明電極３２０は、液晶パネル５０の下側に設けられたＦＰＣ（不図示）に接続されている。
【０１４２】
なお、第３実施形態では、ＦＰＣが液晶パネル５０の上下に設けられているケースについて例示したが、これに限定されるものではない。具体的には、ＦＰＣが液晶パネル５０の左右に設けられてもよい。この場合には、図１５に示した構成を９０°回転させればよいことは勿論である。
【０１４３】
（作用及び効果）
第３実施形態に係る液晶パネル５０によれば、液晶パネル５０の厚み方向に透明電極３２０を引き回すことが好ましくないケース、すなわち、光入射面（光出射面）内において透明電極３２０を引き回すことが好ましいケースにおいて、透明電極３２０が設けられるスペースを効率的に小さくすることができる。すなわち、液晶パネル５０において各セグメント３１０が占める割合が高くなり、各セグメント３１０による変調の効果を十分に得ることができる。
【０１４４】
各セグメント３１０に接続された電極として透明電極３２０を用いることによって、電極による光利用効率の低下を抑制することができる。
【０１４５】
液晶パネル５０の上下にＦＰＣが設けられていることによって、透明電極３２０の長さが短くなるため、透明電極３２０の電気抵抗を小さくすることができ、透明電極３２０の幅を狭くすることができる。
【０１４６】
［その他の実施形態］
本発明は上述した実施形態によって説明したが、この開示の一部をなす論述及び図面は、この発明を限定するものであると理解すべきではない。この開示から当業者には様々な代替実施形態、実施形態及び運用技術が明らかとなろう。
【０１４７】
具体的には、上述した実施形態では、重畳成分光が緑成分光Ｇであり、長−短成分光ＬＳが長波長成分光Ｇｌ及び短波長成分光Ｇｓであるが、これに限定されるものではない。例えば、重畳成分光が青成分光Ｂであり、この場合、第４色成分光が短波長成分光Ｇｓなどであってもよい。
【０１４８】
上述した第１実施形態では特に触れていないが、偏光状態調整素子５１Ｘによって長波長成分光Ｇｌの偏光状態を調整する変調量は、赤用入力信号、緑用入力信号及び青用入力信号に応じて制御されてもよいことは勿論である。
【０１４９】
この場合、偏光状態調整素子５１Ｘに電圧が印可されるか否か（電源ＯＮ又は電源ＯＦＦ）によって、長波長成分光Ｇｌの偏光状態が調整される。すなわち、偏光状態調整素子５１Ｘは、液晶パネル５０Ｇに照射される緑成分光Ｇに重畳する長波長成分光Ｇｌの変調量を調整する光学素子である。
【０１５０】
具体的には、変調量制御部２３０は、赤用入力信号、緑用入力信号及び青用入力信号に基づいて、輝度の代表値を算出する。輝度の代表値は、輝度の最小値、輝度の最大値、輝度の平均値などである。続いて、変調量制御部２３０は、輝度の代表値に応じて、映像に対する長波長成分光Ｇｌの重畳量を決定して、偏光状態調整素子５１Ｘの変調量を制御する。
【０１５１】
上述した実施形態では、黄と赤との間の中間色として、橙であるものとして説明したが、これに限定されるものではなく、黄と赤との間の波長帯を有していればよいことは勿論である。
【０１５２】
上述した実施形態では、液晶パネル５０（液晶パネル５０Ｒ、液晶パネル５０Ｇ及び液晶パネル５０Ｂ）には、補償板が設けられているが、これに限定されるものではなく、補償板が設けられていなくてもよい。
【０１５３】
この開示から当業者には様々な代替実施の形態、実施形態及び運用技術が明らかとなろう。したがって、本発明の技術的範囲は、上述の説明から妥当な特許請求の範囲に係る発明特定事項によってのみ定められるものである。
【図面の簡単な説明】
【０１５４】
【図１】第１実施形態に係る投写型映像表示装置１００の構成を示す図である。
【図２】従来技術（１）に係る照明装置を説明するための図である。
【図３】従来技術（２）に係る照明装置説明するための図である。
【図４】実施形態に係る照明装置を説明するための図である。
【図５】実施形態に係る照明装置を説明するための図である。
【図６】第１実施形態に係る偏光状態調整素子５１Ｘ近傍の概略構成を示す図である。
【図７】第１実施形態に係る偏光状態調整素子５１Ｘを説明するための図である。
【図８】第１実施形態に係るエッジフィルタタイプの素子を説明するための図である。
【図９】第１実施形態に係る偏光状態調整素子５１Ｘの機能について説明するための図である。
【図１０】第１実施形態に係る投写型映像表示装置１００の機能を示すブロック図である。
【図１１】第１実施形態に係る各色の波長帯を示す図である。
【図１２】比較評価において、各照明装置の色再現範囲を説明するための図である。
【図１３】第２実施形態に係る偏光状態調整素子５１Ｘ近傍の概略構成を示す図である。
【図１４】第２実施形態に係るノッチフィルタタイプの素子の機能について説明するための図である。
【図１５】第３実施形態における液晶パネル５０（特に、偏光状態調整素子５１Ｘなど）の構成を示す図である。
【符号の説明】
【０１５５】
１０…光源、２０…ＵＶ／ＩＲカットフィルタ、３０…フライアイレンズユニット、３０ａ…フライアイレンズ、３０ｂ…フライアイレンズ、４０…ＰＢＳアレイ、５０（５０Ｒ〜５０Ｂ）…液晶パネル、５１Ｘ…偏光状態調整素子、５２Ｒ〜５２Ｂ…入射側偏光板、５３Ｒ〜５３Ｂ…出射側偏光板、６０…クロスダイクロイックプリズム、７１，７２…ダイクロイックミラー、７３〜７６…反射ミラー、８１，８２，８３Ｒ〜８３Ｂ…コンデンサレンズ、８４，８５…リレーレンズ、１００…投写型映像表示装置、１１０…投写レンズユニット、１２０…照明装置、２００…制御部、２１０…信号受付部、２２０…モード設定部、２３０…変調量制御部
【図１】
2010044115.tif 000003
【図２】
2010044115.tif 000004
【図３】
2010044115.tif 000005
【図４】
2010044115.tif 000006
【図５】
2010044115.tif 000007
【図６】
2010044115.tif 000008
【図７】
2010044115.tif 000009
【図８】
2010044115.tif 000010
【図９】
2010044115.tif 000011
【図１０】
2010044115.tif 000012
【図１１】
2010044115.tif 000013
【図１２】
2010044115.tif 000014
【図１３】
2010044115.tif 000015
【図１４】
2010044115.tif 000016
【図１５】
2010044115.tif 000017